(57)【要約】【課題】シールリングの組付けがし易く、且つ、抜け難い防水コネクタを提供する。【解決手段】本明細書で開示される防水コネクタ１０は、後方に突出する突出部３２を有するシールリング２０と、筒状をなし、シールリング２０が外周面１６に嵌着される端子収容部１２と、端子収容部１２の外周面１６から外方に突出して設けられ、突出部３２が前方から圧入状態で挿通される係止孔２８を有するシール装着壁１８と、を備え、突出部３２は、係止孔２８の開口縁部４６に後方から当接することでシールリング２０をシール装着壁１８に保持する一対の係止部３８を備え、シールリング２０は、シールリング２０の挿通方向と交差する方向に長い板状をなし、一対の係止部３８は、突出部３２の長手方向の一方の端部から反対側の端部に亘って、突出部３２の両側面から両側方にそれぞれ突出して設けられており、一対の係止部３８は、係止孔２８の開口縁部４６にそれぞれ後方から当接する。【選択図】図４
2019192397.tif 000002
【特許請求の範囲】
【請求項１】
後方に突出する突出部を有するシールリングと、
筒状をなし、前記シールリングが外周面に嵌着される端子収容部と、
前記端子収容部の前記外周面から外方に突出して設けられ、前記突出部が前方から圧入状態で挿通される長孔形状の係止孔を有するシール装着壁と、を備え、
前記突出部は、前記係止孔の開口縁部に後方から当接することで前記シールリングを前記シール装着壁に保持する一対の係止部を備え、
前記シールリングは、前記シールリングの挿通方向と交差する方向に長い板状をなし、
前記一対の係止部は、前記突出部の長手方向の一方の端部から反対側の端部に亘って、前記突出部の両側面から両側方にそれぞれ突出して設けられており、
前記一対の係止部は、前記係止孔の前記開口縁部にそれぞれ後方から当接する防水コネクタ。
【請求項２】
前記突出部は、一対設けられており、
前記係止孔は、前記突出部と対応する位置にそれぞれ設けられている請求項１に記載の防水コネクタ。
【請求項３】
前記突出部は、前記一対の係止部の突出方向の先端部から後方に向かって先細りとなるテーパー面を有している請求項１又は請求項２に記載の防水コネクタ。
【発明の詳細な説明】
【技術分野】
【０００１】
本明細書によって開示される技術は、防水コネクタに関する。
【背景技術】
【０００２】
従来の防水コネクタの一例として、特開２０１７−１９９５４９号公報（下記特許文献１）に記載の防水コネクタが知られている。この防水コネクタは、複数のキャビティが形成された端子収容部、端子収容部の外周に設けられたフード部、及び、端子収容部とフード部との間に配されたゴム製のシールリングを備えて構成されている。
【０００３】
シールリングは、端子収容部の外周面に沿う略方形の環状をなし、シールリングの左右の側縁には、略方形をなす平板状の一対の取付部が設けられている。一対の取付部の後面には、突起部が後方に突出して設けられており、突起部は、後方に向けて先細りとなる略円錐形状とされている。
【０００４】
防水コネクタには一対の係止孔が開口して設けられており、シールリングの組付けの際は、シールリングの突起部は、係止孔に対して前方から圧入状態で挿通される。突起部が係止孔に挿通されると、突起部が縮径された状態で係止孔を通過し、突起部が弾性的に復帰して係止孔の孔縁部に対して後方から係止する。これにより、シールリングは、端子収容部に対して抜け止め状態で保持される。
【先行技術文献】
【特許文献】
【０００５】
【特許文献１】特開２０１７−１９９５４９号公報
【発明の概要】
【発明が解決しようとする課題】
【０００６】
しかしながら、シールリングの突起部を係止孔に挿通する作業をする際に、突起部の先端が係止孔の前方の孔縁部や、係止孔の内周面等に当たることで、突起部が曲がってしまうため、シールリングの組付けがし難いという問題がある。また、防水コネクタを相手側コネクタから取り外す際に、突起部が係止孔の孔縁部に後方から強く当接するため、特に多挿抜をする際に、突起部が係止孔から抜けてしまうという問題がある。
【０００７】
本明細書に開示された技術は上記のような事情に基づいて完成されたものであって、組付けがし易く、且つ、防水コネクタから抜け難いシールリングを備えた防水コネクタを提供することを目的とする。
【課題を解決するための手段】
【０００８】
本明細書で開示される防水コネクタは、後方に突出する突出部を有するシールリングと、筒状をなし、前記シールリングが外周面に嵌着される端子収容部と、前記端子収容部の前記外周面から外方に突出して設けられ、前記突出部が前方から圧入状態で挿通される長孔形状の係止孔を有するシール装着壁と、を備え、前記突出部は、前記係止孔の開口縁部に後方から当接することで前記シールリングを前記シール装着壁に保持する一対の係止部を備え、前記シールリングは、前記シールリングの挿通方向と交差する方向に長い板状をなし、前記一対の係止部は、前記突出部の長手方向の一方の端部から反対側の端部に亘って、前記突出部の両側面から両側方にそれぞれ突出して設けられており、前記一対の係止部は、前記係止孔の前記開口縁部にそれぞれ後方から当接する。
【０００９】
シールリングの突出部は長い板状をなしているので、従来の突起形状のものと比較して、突出部を係止孔に圧入状態で挿通する際に、突出部が係止孔に斜め方向から挿通され、係止孔の内面に当たっても、突出部は折れ曲がり難くなっている。これにより、シールリングの組付け作業性が向上する。
また、係止部は、突出部の長手方向の一方の端部から反対側の端部に亘って、突出部の両側面から両側方にそれぞれ突出して設けられているので、係止孔の開口縁部に後方から当接する面も大きくなり、シールリングの突出部が係止孔から抜け難くすることができる。また、一対の係止部は、係止孔の開口縁部に後方からそれぞれ当接するため、係止部がいずれか一方にのみ設けられている構成と比較して、シールリングが係止孔から抜け難くすることができる。これにより、コネクタの多挿抜により、シールリングが抜けることが抑制される。
【００１０】
また、前記突出部は、一対設けられており、前記係止孔は、前記突出部と対応する位置にそれぞれ設けられている構成としても良い。
【００１１】
突出部を一対設けることで、シールリングは２箇所でシール装着壁に保持されるため、シールリングは端子収容部から抜け落ち難くなっている。
【００１２】
また、前記突出部は、前記一対の係止部の突出方向の先端部から後方に向かって先細りとなるテーパー面を有している構成としても良い。
【００１３】
テーパー面を設けることで、突出部を係止孔に押し込む際に、テーパー面が挿通のガイドとなるため、挿通作業が行い易くなる。
【発明の効果】
【００１４】
本明細書に開示される防水コネクタによれば、シールリングの組付けがし易く、且つ、抜け難い防水コネクタを提供することができる。
【図面の簡単な説明】
【００１５】
【図１】実施形態における防水コネクタの斜視図
【図２】防水コネクタの正面図
【図３】図２におけるＡ−Ａ断面図
【図４】図２におけるＢ−Ｂ断面図
【図５】図４における係止孔付近の拡大図
【図６】シールリング取付け前の防水コネクタの正面図
【図７】シールリングの斜視図
【図８】シールリングの正面図
【図９】シールリングの平面図
【発明を実施するための形態】
【００１６】
＜実施形態＞
図１から図９を参照して本実施形態を説明する。以降の説明では、図１から図９におけるＸ方向を前方、Ｙ方向を右方、Ｚ方向を上方とする。
本実施形態の防水コネクタ１０は、図１、図２に示すように、雌型コネクタであって、前後方向に長い筒状をなす端子収容部１２と、端子収容部１２の前方部の外周に設けられ、前方に開口するフード部１４と、フード部１４の後端部と端子収容部１２の外周面１６とを連結する一対のシール装着壁１８と、端子収容部１２の外周面１６に嵌着されるゴム製のシールリング２０と、を備えて構成されている。
【００１７】
端子収容部１２は、図２、図６に示すように、正面視上、角が丸い長方形状をなしており、端子収容部１２の内部には、前後を仕切る仕切り壁２２が設けられている。仕切り壁２２には、雌端子（図示せず）が収容されるキャビティが開口して設けられている。
【００１８】
端子収容部１２の上部には、図１に示すように、ロックアーム２４が設けられている。ロックアーム２４の下面と端子収容部１２の外周面１６の上面とは、基端部２６を介して連なっており、ロックアーム２４は、基端部２６を支点として、上下方向にシーソー状に変位可能とされる。防水コネクタ１０と相手側コネクタ（図示せず）との嵌合の際は、ロックアーム２４の前端部が相手側コネクタに設けられたロック部（図示せず）に前方から当接することで、相手側コネクタは抜け止めされる。
【００１９】
一対のシール装着壁１８は、図２、図６に示すように、端子収容部１２の外周面１６の両側面から左右方向にそれぞれ突出して設けられており、図１に示すように、フード部１４の後端部とそれぞれ連なっている。一対のシール装着壁１８には、図６に示すように、上下方向に長い長孔形状に開口する係止孔２８がそれぞれ設けられている。
【００２０】
シールリング２０は、図７に示すように、角が丸い枠状をなし、端子収容部１２の外周面１６に嵌着されるシールリング本体３０と、一対のシール装着壁１８の係止孔２８にそれぞれ前方から挿通される左右一対の突出部３２と、シールリング本体３０と一対の突出部３２とをそれぞれ連結する一対の連結部３４と、を備えている。また、シールリング本体３０の外周には、外周リップ３６が周設されている。
【００２１】
一対の連結部３４は、図７に示すように、上下方向に長い板状をなし、シールリング本体３０の左右の枠とそれぞれ連なっている。一対の突出部３２は、突出部３２の係止孔２８への挿通方向（前方）と交差する方向（即ち、上下方向）に長い板状をなしており、図９に示すように、一対の連結部３４の後面から、後方にそれぞれ突出して設けられている。一対の突出部３２の後端面の大きさは、一対の係止孔２８の径よりもそれぞれ大きく設定されており、一対の突出部３２は、一対の係止孔２８にそれぞれ圧入状態で挿通される。
【００２２】
左右一対の突出部３２のうち、先ず、右側の突出部３２の構成について説明する。右側の突出部３２には、図７、図９に示すように、左右の側面から左右方向に係止部３８がそれぞれ突出して設けられている。この左右一対の係止部３８は、右側の突出部３２の上端部（長手方向の一方の端部）４０から下端部（反対側の端部）４２に亘って設けられている。また、右側の突出部３２には、左右一対の係止部３８の突出方向の先端部から後方に向かって先細りとなるテーパー面４４が設けられている。シールリング２０が端子収容部１２に装着された状態では、図４、図５に示すように、右側の突出部３２に設けられた左右一対の係止部３８は、シール装着壁１８の右側の係止孔２８の開口縁部４６にそれぞれ後方から当接している。これにより、左右のいずれか一方にのみ係止部３８が設けられている構成と比較して、左右２辺の係止部３８が係止孔２８の開口縁部４６にそれぞれ当接することで、突出部３２が係止孔２８から抜け難くなっている。
【００２３】
左側の突出部３２についても右側の突出部３２と同様の構成となっており、左側の突出部３２に設けられた左右一対の係止部３８は、シール装着壁１８の左側の係止孔２８の開口縁部４６にそれぞれ後方から当接している。このように、左右の２つの突出部３２にそれぞれ設けられた係止部３８により、シールリング２０はシール装着壁１８に保持されており、突出部３２が左右のいずれか一方にのみ設けられている構成と比較して、シールリング２０は端子収容部１２から抜け落ち難くなっている。
【００２４】
次に、本実施形態の作用について説明する。
シールリング２０を端子収容部１２に装着する。先ず、シールリング本体３０を端子収容部１２に挿通し、一対の突出部３２を、一対のシール装着壁１８の係止孔２８にそれぞれ挿通する。このとき、突出部３２は上下方向に長い板状をなしているため、突出部３２の後端部が係止孔２８に斜め方向から挿通され、係止孔２８の内面に強く当たっても折れ曲がり難くなっている。また、突出部３２にはテーパー面４４が設けられているため、テーパー面４４が挿通のガイドとなり、挿通作業が行い易くなっている。
【００２５】
突出部３２の左右一対の係止部３８が係止孔２８を通過するまで、突出部３２を後方に挿通していくと、係止孔２８内で撓んでいた左右一対の係止部３８が復元し、左右一対の係止部３８は、係止孔２８の開口縁部４６に後方からそれぞれ当接する。
【００２６】
次に、図示しないものの、防水コネクタ１０と相手側コネクタとを嵌合すると、相手側コネクタに設けられた相手側フード部が、端子収容部１２を覆い、シールリング２０のシールリング本体３０及び外周リップ３６は、相手側フード部の内周面に当接する。これにより、外部から端子収容部１２と相手側フード部との間に水が浸入することが抑制される。
【００２７】
次に、図示しないものの、防水コネクタ１０と相手側コネクタとの嵌合を解除するため、防水コネクタ１０を相手側コネクタから引き抜くと、相手側フード部の内周面と、シールリング２０のシールリング本体３０及び外周リップ３６とが摺動し、シールリング２０が前方に変位しようとする。しかしながら、突出部３２の左右一対の係止部３８は、突出部３２の長手方向の一方の端部（上端部４０）から反対側の端部（下端部４２）に亘って設けられていることから、左右一対の係止部３８が、上端部４０から下端部４２の間の一部の区間にのみ設けられている構成と比較して、係止孔２８の開口縁部４６に後方から当接する面が大きくなるため、シールリング２０の突出部３２が係止孔２８から抜け難くなっている。このため、防水コネクタ１０を多挿抜しても、シールリング２０が抜けることが抑制される。
【００２８】
以上のように本実施形態によれば、シールリング２０の突出部３２は長い板状をなしているので、従来の突起形状のものと比較して、突出部３２を係止孔２８に圧入状態で挿通する際に、突出部３２が係止孔２８に斜め方向から挿通され、係止孔２８の内面に当たっても、突出部３２は折れ曲がり難くなっている。これにより、シールリング２０の組付け作業性が向上する。
また、係止部３８は、突出部３２の上端部（長手方向の一方の端部）４０から下端部（反対側の端部）４２に亘って、突出部３２の両側面から両側方にそれぞれ突出して設けられているので、係止孔２８の開口縁部４６に後方から当接する面も大きくなり、シールリング２０の突出部３２が係止孔２８から抜け難くすることができる。また、一対の係止部３８は、係止孔２８の開口縁部４６に後方からそれぞれ当接するため、係止部３８がいずれか一方にのみ設けられている構成と比較して、シールリング２０が係止孔２８から抜け難くすることができる。これにより、防水コネクタ１０の多挿抜により、シールリング２０が抜けることが抑制される。
【００２９】
また、突出部３２を一対設けることで、シールリング２０は２箇所でシール装着壁１８に保持されるため、シールリング２０は係止孔２８からより抜け難くなる。
【００３０】
また、テーパー面４４を設けることで、突出部３２を係止孔２８に押し込む際に、テーパー面４４が挿通のガイドとなるため、挿通作業が行い易くなる。
【００３１】
＜他の実施形態＞
本明細書によって開示される技術は上記記述及び図面によって説明した実施形態に限定されるものではなく、例えば次のような種々の態様も含まれる。
（１）上記実施形態では、突出部３２は左右一対設けられている構成としたが、いずれか一方にのみ設けられている構成としても良いし、上下一対設けられている構成としても良いし、３つ以上設けられている構成としても良い。
（２）上記実施形態では、シールリング本体３０と一対の突出部３２とは、一対の連結部３４を介してそれぞれ連結される構成としていたが、一対の連結部３４を介さず、一対の突出部は、シールリング本体の後端から後方に突出する構成としても良い。
（３）上記実施形態では、防水コネクタ１０は雌型コネクタである構成としたが、雄型コネクタとしても良い。
【符号の説明】
【００３２】
１０：防水コネクタ
１２：端子収容部
１６：外周面
１８：シール装着壁
２８：係止孔
４６：開口縁部
２０：シールリング
３２：突出部
４０：上端部
４２：下端部
３８：係止部
４４：テーパー面
【図１】
2019192397.tif 000003
【図２】
2019192397.tif 000004
【図３】
2019192397.tif 000005
【図４】
2019192397.tif 000006
【図５】
2019192397.tif 000007
【図６】
2019192397.tif 000008
【図７】
2019192397.tif 000009
【図８】
2019192397.tif 000010
【図９】
2019192397.tif 000011